(57)【要約】【課題】本発明は改良型LEDディスプレイ装置を開示した。【解決手段】本発明の改良型LEDディスプレイ装置は、壁に固定して取り付けられるカードスロット及びカードスロットと配合して連結するLEDディスプレイを含む。前記カードスロットの右端面には凹嵌槽が設けられ、前記凹嵌槽の左側にある前記カードスロットの内壁体に容腔が設置され、前記凹嵌槽の上下両側の内壁体に第一滑運槽が対応して設けられ、前記第一滑運槽の中に枠レバーが配合して連結する。上下両側の前記枠レバーの対応する側には斜滑面がそれぞれ設置され、前記第一滑運槽は前記凹嵌槽の一側にある前記枠レバーと連結する第一弾片を逸らして、前記第一滑運槽の左側の内壁に導送槽が設けられ、前記導送槽の中に前記枠レバーと固定的に連結する前記導送ブロックが設置され、前記容腔の上下両側の右側内壁体に右側に広げて設置される転向腔が対応して設けられる。【選択図】図3
2019128566.tif 000002
【特許請求の範囲】
【請求項１】
改良型LEDディスプレイ装置であって、壁に固定して取り付けられるカードスロット及び前記カードスロットと配合して連結するLEDディスプレイを含み、前記カードスロットの右端面には凹嵌槽が設けられ、前記凹嵌槽の左側にある前記カードスロットの内壁体に容腔が設置され、前記凹嵌槽の上下両側の内壁体に第一滑運槽が対応して設けられ、前記第一滑運槽の中に枠レバーが配合して連結し、上下両側の前記枠レバーの対応する側には斜滑面がそれぞれ設置され、前記第一滑運槽は前記凹嵌槽の一側にある前記枠レバーと連結する第一弾片を逸らして、前記第一滑運槽の左側の内壁に導送槽が設けられ、前記導送槽の中に前記枠レバーと固定的に連結する前記導送ブロックが設置され、前記容腔の上下両側の右側内壁体に右側に広げて設置される転向腔が対応して設けられ、前記転向腔は前記容腔の一側を逸らして、前記導送槽と貫通して連結し、前記転向腔の中に上下対応して設置される前記第一転盤が回転可能なように連結し、全ての前記容腔の中に上下対応して設置される前記第二転盤が回転可能なように連結し、全ての前記第二転盤の前端側には歯合輪が設けられ、2組の前記歯合輪の間に前記第一滑運ブロックが設置され、前記第一滑運ブロックの中に左右に広げて設置される前記導送レバーが上下対応して設けられ、前記導送レバーの左右両側広げ末端は前記容腔の左右両側の内壁と固定的に配合して連結し、前記第一滑運ブロックの上下両側端面に前記歯合輪と配合して連結する前記歯合条が設置され、2組の前記導送レバーの間にある前記容腔の左側内壁の中に前記第一滑運ブロックの左側端面と配合して連結する前記プッシュ装置が設けられ、2組の前記導送レバーの間の前記第一滑運ブロックの右側端面に前記プッシュ装置が設置され、前記第一転盤はワイヤを迂回して、前記ワイヤの一端は前記第二転盤と固定的に連結し、もう一端は前記導送ブロックと固定的に連結し、前記容腔と前記凹嵌槽の間に送電装置が設けられ、LEDディスプレイの左側端面に前記凹嵌槽と配合して連結する前記挿合ブロックが設置され、推送装置は前記第一滑運ブロックの右側端面にある前記第二滑運槽及び前記第二滑運槽の中の前記第二滑運ブロックを含み、前記第二滑運ブロックの左側端面に左側に広げて設置される螺旋棒があり、前記螺旋棒の左側広げ末端と第一電機ローラーは動力を伝達可能なように連結して、前記第一電機ローラーの外表面は前記第二滑運槽の左側内壁に固定的に設けられ、前記第二滑運ブロックの右側末端端面に送電ピンが設置され、前記送電装置は前記容腔と前記凹嵌槽が連通させる前記第三滑運槽及び前記第三滑運槽の中の送電アームを含み、前記第三滑運槽の上下両側の内壁に前記導送腔が対応して設けられ、前記導送腔の中に前記送電アームと固定的に配合して連結する導送頭があり、前記導送頭の右側の前記導送腔の中に前記第二弾片が設置され、前記送電アームの左側端面に前記送電件が固定的に設けられ、前記挿合ブロックの中に挿合ブロックの上下両側端面を貫通する前記穿腔が設けられ、前記挿合ブロックの左側端面に送電口が設置され、前記送電口の中に前記送電ブロックが設けられ、前記凹嵌槽の上下両側にあるカードスロットの右側端面に接固装置が対応して設置され、前記接固装置は前記カードスロットの右側端面にある前記凹口及び前記凹口の中に連結する前記第三滑運ブロックを含み、前記第三滑運ブロックの左側の前記凹口の中に前記第三弾片が設けられ、前記第三弾片の一端は前記凹口の左側内壁と固定的に連結して、もう一端は前記第三滑運ブロックの左側端面と固定的に連結することを特徴とする改良型LEDディスプレイ装置。
【発明の詳細な説明】
【技術分野】
【０００１】
本発明は、ディスプレイ技術分野に関し、具体的には改良型LEDディスプレイ装置に関する。
【背景技術】
【０００２】
既存のディスプレイのインストールや分解ステップは繁雑で、しかも単独で手動で電源を入れる必要があり、使用が不便である。
【先行技術文献】
【特許文献】
【０００３】
【特許文献１】中国実用新案第202120986号明細書
【発明の概要】
【発明が解決しようとする課題】
【０００４】
本発明の目的は改良型LEDディスプレイ装置を提供することであり、現有技術の上述した欠陥を克服するために使用される。
【０００５】
本発明に係る改良型LEDディスプレイ装置によれば、壁に固定して取り付けられるカードスロット及びカードスロットと配合して連結するLEDディスプレイを含む。前記カードスロットの右端面には凹嵌槽が設けられ、前記凹嵌槽の左側にある前記カードスロットの内壁体に容腔が設置され、前記凹嵌槽の上下両側の内壁体に第一滑運槽が対応して設けられ、前記第一滑運槽の中に枠レバーが配合して連結する。上下両側の前記枠レバーの相対側には斜滑面がそれぞれ設置され、前記第一滑運槽は前記凹嵌槽の一側にある前記枠レバーと連結する第一弾片を逸らして、前記第一滑運槽の左側の内壁に導送槽が設けられ、前記導送槽の中に前記枠レバーと固定的に連結する前記導送ブロックが設置され、前記容腔の上下両側の右側内壁体に右側に広げて設置される転向腔が対応して設けられ、前記転向腔は前記容腔の一側を逸らして、前記導送槽と貫通して連結する。前記転向腔の中に上下対応して設置される前記第一転盤が回転可能なように連結し、全ての前記容腔の中に上下対応して設置される前記第二転盤が回転可能なように連結する。全ての前記第二転盤の前端側には歯合輪が設けられ、2組の前記歯合輪の間に前記第一滑運ブロックが設置され、前記第一滑運ブロックの中に左右に広げて設置される前記導送レバーが上下対応して設けられる。前記導送レバーの左右両側広げ末端は前記容腔の左右両側の内壁と固定的に配合して連結する。前記第一滑運ブロックの上下両側端面に前記歯合輪と配合して連結する前記歯合条が設置され、2組の前記導送レバーの間にある前記容腔の左側内壁の中に前記第一滑運ブロックの左側端面と配合して連結する前記プッシュ装置が設けられ、2組の前記導送レバーの間の前記第一滑運ブロックの右側端面に前記プッシュ装置が設置される。前記第一転盤はワイヤを迂回して、前記ワイヤの一端は前記第二転盤と固定的に連結して、もう一端は前記導送ブロックと固定的に連結する。前記容腔と前記凹嵌槽の間に送電装置が設けられ、LED ディスプレイの左側端面に前記凹嵌槽と配合して連結する前記挿合ブロックが設置され、推送装置は前記第一滑運ブロックの右側端面にある前記第二滑運槽及び前記第二滑運槽の中の前記第二滑運ブロックを含み、前記第二滑運ブロックの左側端面に左側に広げて設置される螺旋棒があり、前記螺旋棒の左側広げ末端と第一電機ローラーは動力を伝達可能なように連結して、前記第一電機ローラーの外表面は前記第二滑運槽の左側内壁に固定的に設けられ、前記第二滑運ブロックの右側末端端面に送電ピンが設置される。
【０００６】
他の技術方案は前記送電装置は前記容腔と前記凹嵌槽が連通させる前記第三滑運槽及び前記第三滑運槽の中の送電アームを含む。前記第三滑運槽の上下両側の内壁に前記導送腔が対応して設けられ、前記導送腔の中に前記送電アームと固定的に配合して連結する導送頭があり、前記導送頭の右側の前記導送腔の中に前記第二弾片が設置され、前記送電アームの左側端面に前記送電件が固定的に設けられる。
【０００７】
他の技術方案は前記挿合ブロックの中に挿合ブロックの上下両側端面を貫通する前記穿腔が設けられ、前記挿合ブロックの左側端面に送電口が設置され、前記送電口の中に前記送電ブロックが設けられる。
【０００８】
他の技術方案は前記凹嵌槽の上下両側にあるカードスロットの右側端面に接固装置が対応して設置される。前記接固装置は前記カードスロットの右側端面にある前記凹口及び前記凹口の中に連結する前記第三滑運ブロックを含み、前記第三滑運ブロックの左側の前記凹口の中に前記第三弾片が設けられ、前記第三弾片の一端は前記凹口の左側内壁と固定的に連結して、もう一端は前記第三滑運ブロックの左側端面と固定的に連結する。
【０００９】
本発明の有益な効果は、構造が簡単で、操作が便利である。カードスロットの右側端面に凹嵌槽が設けられ、凹嵌槽の左側にあるカードスロットの内壁体の中に容腔が設けられ、凹嵌槽の上下両側にある内壁体の中に第一滑運槽が対応して設置され、第一滑運槽の中に枠レバーに接続されている。上下両側の枠レバーの対応する側にそれぞれ斜滑面が設置され、第一滑運槽は第一弾片を逸らして、第一滑運槽の左側内壁に導送槽が設けられ、導送槽の中に枠レバーと固定的に接続する導送ブロックが配合して連結する。容腔の上下両側の右側内壁に右側に広げる転向腔が設置され、転向腔は容腔の一側を逸らして、導送槽と貫通して設けられる。転向腔のうちに第一転盤と回転可能なように連結して、容腔の中に上下対応して設置される第二転盤が回転可能なように連結している。全ての第二転盤の前端側に歯合輪が固定的に設けられ、2組の歯合輪の間に第一滑動ブロックが設置される。第一滑運ブロックの中に左右に広げる導送レバーが上下対応して設けられ、導送レバーの左右両側広げ末端は容腔の左右両側の内壁とそれぞれ固定的に連結する。第一滑運ブロックの上下両側端面に歯合輪と配合して連結する歯合条が対応して設置され、2組の導送レバーの間にある容腔の左側内壁には第一滑運ブロックの左側端面と配合して連結するプッシュ装置が設置され、2組の導送レバーの間に第一滑運ブロックの右側端面にプッシュ装置が設置され、第一転盤は一端と第二転盤が固定的に連結して、もう一端が導送ブロックと固定的に連結するワイヤを回っている。容腔と凹嵌槽の間に送電装置が設けられ、LEDディスプレイの左側端面には凹嵌槽と配合して連結する挿合ブロックが設置される。プッシュ装置は第一滑運ブロックの右側端面にある第二滑運槽及び第二滑運槽にある第二滑運ブロックを含み、第二滑運ブロックの左側端面にはネジ紋が左側へ広げて設置される螺旋棒に接続している。螺旋棒の左側広げ末端と第一電気ローラーは動力を伝達可能なように連結し、第一電気ローラーの外表面が第二滑運槽の左側の内壁体にある。第二滑運ブロックの右側端面には送電ピンが設けられるし、自動的に安定ロック作業を実現することができる。同時に、ロックの安定性を向上させ、自動的に電力供給の接続作業を実現することができ、ユーザーの電安全性を大幅に向上させる。
【発明の効果】
【００１０】
本発明は構造が簡単で、操作が便利である。カードスロットの右側端面に凹嵌槽が設けられ、凹嵌槽の左側にあるカードスロットの内壁体の中に容腔が設けられ、凹嵌槽の上下両側にある内壁体の中に第一滑運槽が対応して設置され、第一滑運槽の中に枠レバーに接続されている。上下両側の枠レバーの対応する側にそれぞれ斜滑面が設置され、第一滑運槽は第一弾片を逸らして、第一滑運槽の左側内壁に導送槽が設けられ、導送槽の中に枠レバーと固定的に接続する導送ブロックが配合して連結する。容腔の上下両側の右側内壁に右側に広げる転向腔が設置され、転向腔は容腔の一側を逸らして、導送槽と貫通して設けられる。転向腔のうちに第一転盤と回転可能なように連結して、容腔の中に上下対応して設置される第二転盤が回転可能なように連結している。全ての第二転盤の前端側に歯合輪が固定的に設けられ、2組の歯合輪の間に第一滑動ブロックが設置される。第一滑運ブロックの中に左右に広げる導送レバーが上下対応して設けられ、導送レバーの左右両側広げ末端は容腔の左右両側の内壁とそれぞれ固定的に連結する。第一滑運ブロックの上下両側端面に歯合輪と配合して連結する歯合条が対応して設置され、2組の導送レバーの間にある容腔の左側内壁には第一滑運ブロックの左側端面と配合して連結するプッシュ装置が設置され、2組の導送レバーの間に第一滑運ブロックの右側端面にプッシュ装置が設置され、第一転盤は一端と第二転盤が固定的に連結して、もう一端が導送ブロックと固定的に連結するワイヤを回っている。容腔と凹嵌槽の間に送電装置が設けられ、LEDディスプレイの左側端面には凹嵌槽と配合して連結する挿合ブロックが設置される。プッシュ装置は第一滑運ブロックの右側端面にある第二滑運槽及び第二滑運槽にある第二滑運ブロックを含み、第二滑運ブロックの左側端面にはネジ紋が左側へ広げて設置される螺旋棒に接続している。螺旋棒の左側広げ末端と第一電気ローラーは動力を伝達可能なように連結し、第一電気ローラーの外表面が第二滑運槽の左側の内壁体にある。第二滑運ブロックの右側端面には送電ピンが設けられるし、自動的に安定ロック作業を実現することができる。同時に、ロックの安定性を向上させ、自動的に電力供給の接続作業を実現することができ、ユーザーの電安全性を大幅に向上させる。
【図面の簡単な説明】
【００１１】
【図１】図1は本発明におけるカードスロットの内部構造案内図である。
【図２】図2は本発明におけるLEDディスプレイの全体構造案内図である。
【図３】図3は本発明におけるカードスロットの右ビュー構造案内図である。
【発明を実施するための形態】
【００１２】
以下、図1-図3を参照して、本発明について詳しく説明する。
【００１３】
図1-図3を参照して、本発明の実施例における改良型LEDディスプレイ装置によれば、壁に固定して取り付けられるカードスロット5及びカードスロット5と配合して連結するLEDディスプレイ6を含む。前記カードスロット5の右端面には凹嵌槽51が設けられ、前記凹嵌槽51の左側にある前記カードスロット5の内壁体に容腔52が設置され、前記凹嵌槽51の上下両側の内壁体に第一滑運槽53が対応して設けられ、前記第一滑運槽53の中に枠レバー531が配合して連結する。上下両側の前記枠レバー531の対応する側には斜滑面533がそれぞれ設置され、前記第一滑運槽53は前記凹嵌槽51の一側にある前記枠レバー531と連結する第一弾片532を逸らして、前記第一滑運槽53の左側の内壁に導送槽54が設けられ、前記導送槽54の中に前記枠レバー531と固定的に連結する前記導送ブロック541が設置され、前記容腔52の上下両側の右側内壁体に右側に広げて設置される転向腔55が対応して設けられ、前記転向腔55は前記容腔52の一側を逸らして、前記導送槽54と貫通して連結する。前記転向腔55の中に上下対応して設置される前記第一転盤551が回転可能なように連結し、全ての前記容腔52の中に上下対応して設置される前記第二転盤521が回転可能なように連結する。全ての前記第二転盤521の前端側には歯合輪522が設けられ、2組の前記歯合輪522の間に前記第一滑運ブロック523が設置され、前記第一滑運ブロック523の中に左右に広げて設置される前記導送レバー524が上下対応して設けられる。前記導送レバー524の左右両側広げ末端は前記容腔52の左右両側の内壁と固定的に配合して連結する。前記第一滑運ブロック523の上下両側端面に前記歯合輪522と配合して連結する前記歯合条528が設置され、2組の前記導送レバー524の間にある前記容腔52の左側内壁の中に前記第一滑運ブロック523の左側端面と配合して連結する前記プッシュ装置526が設けられ、2組の前記導送レバー524の間の前記第一滑運ブロック523の右側端面に前記プッシュ装置526が設置される。前記第一転盤551はワイヤ552を迂回して、前記ワイヤ552の一端は前記第二転盤521と固定的に連結して、もう一端は前記導送ブロック541と固定的に連結する。前記容腔52と前記凹嵌槽51の間に送電装置が設けられ、LED ディスプレイ6の左側端面に前記凹嵌槽51と配合して連結する前記挿合ブロック61が設置され、推送装置は前記第一滑運ブロック523の右側端面にある前記第二滑運槽525及び前記第二滑運槽525の中の前記第二滑運ブロック5251を含み、前記第二滑運ブロック5251の左側端面に左側に広げて設置される螺旋棒5252があり、前記螺旋棒5252の左側広げ末端と第一電機ローラー5253は動力を伝達可能なように連結して、前記第一電機ローラー5253の外表面は前記第二滑運槽525の左側内壁に固定的に設けられ、前記第二滑運ブロック5251の右側末端端面に送電ピン5254が設置される。
【００１４】
好ましくは、前記送電装置は前記容腔52と前記凹嵌槽51が連通させる前記第三滑運槽57及び前記第三滑運槽57の中の送電アーム571を含む。前記第三滑運槽57の上下両側の内壁に前記導送腔56が対応して設けられ、前記導送腔56の中に前記送電アーム571と固定的に配合して連結する導送頭561があり、前記導送頭561の右側の前記導送腔56の中に前記第二弾片562が設置され、前記送電アーム571の左側端面に前記送電件572が固定的に設けられて、それにより、自動供電接続作業をコントロールすることが実現させ、操作人員の安全性を大幅に向上させる。
【００１５】
好ましくは、前記挿合ブロック61の中に挿合ブロック61の上下両側端面を貫通する前記穿腔62が設けられ、前記挿合ブロック61の左側端面に送電口63が設置され、前記送電口63の中に前記送電ブロック631が設けられて、それによって、供電接続の安定性を実現し、供電の安定性を向上させる。
【００１６】
好ましくは、前記凹嵌槽51の上下両側にあるカードスロット5の右側端面に接固装置が対応して設置される。前記接固装置は前記カードスロット5の右側端面にある前記凹口58及び前記凹口58の中に連結する前記第三滑運ブロック582を含み、前記第三滑運ブロック582の左側の前記凹口58の中に前記第三弾片581が設けられ、前記第三弾片581の一端は前記凹口58の左側内壁と固定的に連結して、もう一端は前記第三滑運ブロック582の左側端面と固定的に連結する。それによって、LEDディスプレイ6の取り付ける安定性を向上させる。
【００１７】
初期状態の時、第一滑運ブロック523は容腔52の一番左側にあり、この時、歯合輪522と歯合条528の右側端を配合して連結させる。同時に、枠レバー531は第一弾片532の推送力を受けて、枠レバー531は導送ブロック541が最大レベルまでスライドすることを凹嵌槽51の一側に近づいく導送槽54の中に駆動させ、この時、枠レバー531が凹嵌槽51の一側に近づかせ、最大の程度に凹嵌槽51の中に伸入させて、しかも、2組の枠レバー531の相対末端は完全に相殺して連結する。この時、導送頭561は第二弾片562のの推送力を受けて、導送腔56の一番左側に滑動する。同時に、導送頭561は送電アーム571の左側末端を駆動して、最大の程度に容腔52の中に伸入させる。同時に、送電アーム571の右側末端を駆動して、最大の程度に第三滑運槽57の中に伸入させる。この時、第二滑運ブロック5251は完全に第二滑運槽525の中に位置させる。使用する時、プッシュ装置526を通して、第一滑運ブロック523をコントロールして、導送棒524の右側方向に沿って滑動する。同時に、第一滑運ブロック523は2組の歯合輪522が相対に回転することを駆動させ、歯合輪522は第二転盤521の回転を相対に駆動させる。この時、第二転盤521はワイヤ532を通して、導送ブロック541を牽引する。同時に、枠レバー531が第一弾片532推送力を克服して、導送ブロック541はそれを駆動して、だんだん第一滑運槽53に沿って、導送ブロック541が最大の程度に凹嵌槽51の一側を逸らす導送槽54の中にまで滑動する。この時、導送ブロック541は枠レバー531を駆動して、完全に第一滑運槽53の中に滑り込んで、そしてLEDディスプレイ6にある挿合ブロック61が凹嵌槽51の中に伸入させ、挿合ブロック61が完全に凹嵌槽51の中に伸入する時まで、この時、穿腔62と第一滑運槽53は相対する位置にする。同時に、LEDディスプレイ6の左側端面とカードスロット5の右側端面を完全に相殺させる。この時、第三滑運ブロック582は第三弾片581推送力を克服させて完全に凹口58の中に滑り込ませる。そして、逆方向でプッシュ装置526を駆動させ、第一滑運ブロック523が最初の位置まで滑動する。同時に、枠レバー531は第一弾片532推送力を受けて、最大の程度に穿腔62の中に伸入して、ロックの接続作業を完了させる。それから第一ローラー5253を通して、螺旋棒5252の回転をコントロールして、螺旋棒5252が第二滑運ブロック5251を駆動して、第二滑運槽525の右側方向に沿って滑動する。第二滑運ブロック5251の右側末端の送電ピン5234が送電件571と相殺するとき、第一電気ローラー5253は螺旋棒5252の回転を駆動することをコントロールし続いて、第二滑運ブロック5251は送電アーム571を駆動させて、送電アーム571の上の導送頭561は第二弾片562の推送力がだんだん右側に滑動させて、送電アーム571の左側端は完全に第三滑運槽57の中に滑り込む時まで、同時に、送電アーム571の右側末端は送電口63の中に完全に伸入させ、送電ブロック631と配合して連結させる。
【００１８】
本発明は構造が簡単で、操作が便利である。カードスロットの右側端面に凹嵌槽が設けられ、凹嵌槽の左側にあるカードスロットの内壁体の中に容腔が設けられ、凹嵌槽の上下両側にある内壁体の中に第一滑運槽が対応して設置され、第一滑運槽の中に枠レバーに接続されている。上下両側の枠レバーの対応する側にそれぞれ斜滑面が設置され、第一滑運槽は第一弾片を逸らして、第一滑運槽の左側内壁に導送槽が設けられ、導送槽の中に枠レバーと固定的に接続する導送ブロックが配合して連結する。容腔の上下両側の右側内壁に右側に広げる転向腔が設置され、転向腔は容腔の一側を逸らして、導送槽と貫通して設けられる。転向腔のうちに第一転盤と回転可能なように連結して、容腔の中に上下対応して設置される第二転盤が回転可能なように連結している。全ての第二転盤の前端側に歯合輪が固定的に設けられ、2組の歯合輪の間に第一滑動ブロックが設置される。第一滑運ブロックの中に左右に広げる導送レバーが上下対応して設けられ、導送レバーの左右両側広げ末端は容腔の左右両側の内壁とそれぞれ固定的に連結する。第一滑運ブロックの上下両側端面に歯合輪と配合して連結する歯合条が対応して設置され、2組の導送レバーの間にある容腔の左側内壁には第一滑運ブロックの左側端面と配合して連結するプッシュ装置が設置され、2組の導送レバーの間に第一滑運ブロックの右側端面にプッシュ装置が設置され、第一転盤は一端と第二転盤が固定的に連結して、もう一端が導送ブロックと固定的に連結するワイヤを回っている。容腔と凹嵌槽の間に送電装置が設けられ、LEDディスプレイの左側端面には凹嵌槽と配合して連結する挿合ブロックが設置される。プッシュ装置は第一滑運ブロックの右側端面にある第二滑運槽及び第二滑運槽にある第二滑運ブロックを含み、第二滑運ブロックの左側端面にはネジ紋が左側へ広げて設置される螺旋棒に接続している。螺旋棒の左側広げ末端と第一電気ローラーは動力を伝達可能なように連結し、第一電気ローラーの外表面が第二滑運槽の左側の内壁体にある。第二滑運ブロックの右側端面には送電ピンが設けられるし、自動的に安定ロック作業を実現することができる。同時に、ロックの安定性を向上させ、自動的に電力供給の接続作業を実現することができ、ユーザーの電安全性を大幅に向上させる。
【００１９】
本分野の技術者にとって、明確なのは本発明の全体的な意義と構造を離れないもとで、以上の実施例に各種の変形を行うことができる。それらは全部本発明の保護範囲内にある。本発明の保護範囲は特許請求の範囲を基準とする。
【図１】
2019128566.tif 000003
【図２】
2019128566.tif 000004
【図３】
2019128566.tif 000005
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
改良型LEDディスプレイ装置であって、壁に固定して取り付けられるカードスロット及び前記カードスロットと係合して連結するLEDディスプレイを含み、前記カードスロットの右端面には凹嵌槽が設けられ、前記凹嵌槽の左側にある前記カードスロットの内壁体に容腔が設置され、前記凹嵌槽の上下両側の内壁体に第一滑運槽が対応して設けられ、前記第一滑運槽の中に枠レバーが係合して連結し、上下二つの前記枠レバーの相対する端面にはいずれも斜滑面が設置され、前記第一滑運槽は前記凹嵌槽の一側にある前記枠レバーと連結する第一弾片を逸らして、前記第一滑運槽の左側の内壁に導送槽が設けられ、前記導送槽の中に前記枠レバーと固定的に連結する導送ブロックが設置され、前記容腔の上下両側の右側内壁体に右側に広げて設置される転向腔が対応して設けられ、前記転向腔は前記容腔の一側を逸らして、前記導送槽と貫通して連結し、前記転向腔の中に上下対応して設置される第一転盤が回転可能なように連結し、全ての前記容腔の中に上下対応して設置される第二転盤が回転可能なように連結し、全ての前記第二転盤の前端側には歯合輪が設けられ、2組の前記歯合輪の間に第一滑運ブロックが設置され、前記第一滑運ブロックの中に左右に広げて設置される導送レバーが上下対応して設けられ、前記導送レバーの左右両側延伸末端は前記容腔の左右両側の内壁と固定的に係合して連結し、前記第一滑運ブロックの上下両側端面に前記歯合輪と係合して連結する歯合条が設置され、2組の前記導送レバーの間にある前記容腔の左側内壁の中に前記第一滑運ブロックの左側端面と係合して連結するプッシュ装置が設けられ、2組の前記導送レバーの間の前記第一滑運ブロックの右側端面に前記プッシュ装置が設置され、前記第一転盤はワイヤを迂回して、前記ワイヤの一端は前記第二転盤と固定的に連結し、もう一端は前記導送ブロックと固定的に連結し、前記容腔と前記凹嵌槽の間に送電装置が設けられ、LEDディスプレイの左側端面に前記凹嵌槽と係合して連結する挿合ブロックが設置され、推送装置は前記第一滑運ブロックの右側端面にある第二滑運槽及び前記第二滑運槽の中の第二滑運ブロックを含み、前記第二滑運ブロックの左側端面に左側に広げて設置される螺旋棒があり、前記螺旋棒の左側延伸末端と第一電機ローラーは動力を伝達可能なように連結して、前記第一電機ローラーの外表面は前記第二滑運槽の左側内壁に固定的に設けられ、前記第二滑運ブロックの右側末端端面に送電ピンが設置され、前記送電装置は前記容腔と前記凹嵌槽が連通させる第三滑運槽及び前記第三滑運槽の中の送電アームを含み、前記第三滑運槽の上下両側の内壁に導送腔が対応して設けられ、前記導送腔の中に前記送電アームと固定的に係合して連結する導送頭があり、前記導送頭の右側の前記導送腔の中に第二弾片が設置され、前記送電アームの左側端面に送電部品が固定的に設けられ、前記挿合ブロックの中に挿合ブロックの上下両側端面を貫通する穿腔が設けられ、前記挿合ブロックの左側端面に送電口が設置され、前記送電口の中に送電ブロックが設けられ、前記凹嵌槽の上下両側にあるカードスロットの右側端面に接固装置が対応して設置され、前記接固装置は前記カードスロットの右側端面にある凹口及び前記凹口の中に連結する第三滑運ブロックを含み、前記第三滑運ブロックの左側の前記凹口の中に第三弾片が設けられ、前記第三弾片の一端は前記凹口の左側内壁と固定的に連結して、もう一端は前記第三滑運ブロックの左側端面と固定的に連結することを特徴とする改良型LEDディスプレイ装置。
【手続補正２】
【補正対象書類名】明細書
【補正対象項目名】全文
【補正方法】変更
【補正の内容】
【発明の詳細な説明】
【技術分野】
【０００１】
本発明は、ディスプレイ技術分野に関し、具体的には改良型LEDディスプレイ装置に関する。
【背景技術】
【０００２】
既存のディスプレイのインストールや分解ステップは繁雑で、しかも単独で手動で電源を入れる必要があり、使用が不便である。
【先行技術文献】
【特許文献】
【０００３】
【特許文献１】中国実用新案第202120986号明細書
【発明の概要】
【発明が解決しようとする課題】
【０００４】
本発明の目的は改良型LEDディスプレイ装置を提供することであり、現有技術の上述した欠陥を克服するために使用される。
【０００５】
本発明に係る改良型LEDディスプレイ装置によれば、壁に固定して取り付けられるカードスロット及びカードスロットと係合して連結するLEDディスプレイを含む。前記カードスロットの右端面には凹嵌槽が設けられ、前記凹嵌槽の左側にある前記カードスロットの内壁体に容腔が設置され、前記凹嵌槽の上下両側の内壁体に第一滑運槽が対応して設けられ、前記第一滑運槽の中に枠レバーが係合して連結する。上下二つの前記枠レバーの相対する端面にはいずれも斜滑面が設置され、前記第一滑運槽は前記凹嵌槽の一側にある前記枠レバーと連結する第一弾片を逸らして、前記第一滑運槽の左側の内壁に導送槽が設けられ、前記導送槽の中に前記枠レバーと固定的に連結する導送ブロックが設置され、前記容腔の上下両側の右側内壁体に右側に広げて設置される転向腔が対応して設けられ、前記転向腔は前記容腔の一側を逸らして、前記導送槽と貫通して連結する。前記転向腔の中に上下対応して設置される第一転盤が回転可能なように連結し、全ての前記容腔の中に上下対応して設置される第二転盤が回転可能なように連結する。全ての前記第二転盤の前端側には歯合輪が設けられ、2組の前記歯合輪の間に第一滑運ブロックが設置され、前記第一滑運ブロックの中に左右に広げて設置される導送レバーが上下対応して設けられる。前記導送レバーの左右両側延伸末端は前記容腔の左右両側の内壁と固定的に係合して連結する。前記第一滑運ブロックの上下両側端面に前記歯合輪と係合して連結する歯合条が設置され、2組の前記導送レバーの間にある前記容腔の左側内壁の中に前記第一滑運ブロックの左側端面と係合して連結するプッシュ装置が設けられ、2組の前記導送レバーの間の前記第一滑運ブロックの右側端面に前記プッシュ装置が設置される。前記第一転盤はワイヤを迂回して、前記ワイヤの一端は前記第二転盤と固定的に連結して、もう一端は前記導送ブロックと固定的に連結する。前記容腔と前記凹嵌槽の間に送電装置が設けられ、LED ディスプレイの左側端面に前記凹嵌槽と係合して連結する挿合ブロックが設置され、推送装置は前記第一滑運ブロックの右側端面にある第二滑運槽及び前記第二滑運槽の中の第二滑運ブロックを含み、前記第二滑運ブロックの左側端面に左側に広げて設置される螺旋棒があり、前記螺旋棒の左側延伸末端と第一電機ローラーは動力を伝達可能なように連結して、前記第一電機ローラーの外表面は前記第二滑運槽の左側内壁に固定的に設けられ、前記第二滑運ブロックの右側末端端面に送電ピンが設置される。
【０００６】
他の技術方案は前記送電装置は前記容腔と前記凹嵌槽が連通させる第三滑運槽及び前記第三滑運槽の中の送電アームを含む。前記第三滑運槽の上下両側の内壁に導送腔が対応して設けられ、前記導送腔の中に前記送電アームと固定的に係合して連結する導送頭があり、前記導送頭の右側の前記導送腔の中に第二弾片が設置され、前記送電アームの左側端面に送電部品が固定的に設けられる。
【０００７】
他の技術方案は前記挿合ブロックの中に挿合ブロックの上下両側端面を貫通する穿腔が設けられ、前記挿合ブロックの左側端面に送電口が設置され、前記送電口の中に送電ブロックが設けられる。
【０００８】
他の技術方案は前記凹嵌槽の上下両側にあるカードスロットの右側端面に接固装置が対応して設置される。前記接固装置は前記カードスロットの右側端面にある凹口及び前記凹口の中に連結する第三滑運ブロックを含み、前記第三滑運ブロックの左側の前記凹口の中に第三弾片が設けられ、前記第三弾片の一端は前記凹口の左側内壁と固定的に連結して、もう一端は前記第三滑運ブロックの左側端面と固定的に連結する。
【０００９】
本発明の有益な効果は、構造が簡単で、操作が便利である。カードスロットの右側端面に凹嵌槽が設けられ、凹嵌槽の左側にあるカードスロットの内壁体の中に容腔が設けられ、凹嵌槽の上下両側にある内壁体の中に第一滑運槽が対応して設置され、第一滑運槽の中に枠レバーに接続されている。上下二つの前記枠レバーの相対する端面にはいずれも斜滑面が設置され、第一滑運槽は第一弾片を逸らして、第一滑運槽の左側内壁に導送槽が設けられ、導送槽の中に枠レバーと固定的に接続する導送ブロックが係合して連結する。容腔の上下両側の右側内壁に右側に広げる転向腔が設置され、転向腔は容腔の一側を逸らして、導送槽と貫通して設けられる。転向腔のうちに第一転盤と回転可能なように連結して、容腔の中に上下対応して設置される第二転盤が回転可能なように連結している。全ての第二転盤の前端側に歯合輪が固定的に設けられ、2組の歯合輪の間に第一滑動ブロックが設置される。第一滑運ブロックの中に左右に広げる導送レバーが上下対応して設けられ、導送レバーの左右両側延伸末端は容腔の左右両側の内壁とそれぞれ固定的に連結する。第一滑運ブロックの上下両側端面に歯合輪と係合して連結する歯合条が対応して設置され、2組の導送レバーの間にある容腔の左側内壁には第一滑運ブロックの左側端面と係合して連結するプッシュ装置が設置され、2組の導送レバーの間に第一滑運ブロックの右側端面にプッシュ装置が設置され、第一転盤は一端と第二転盤が固定的に連結して、もう一端が導送ブロックと固定的に連結するワイヤを回っている。容腔と凹嵌槽の間に送電装置が設けられ、LEDディスプレイの左側端面には凹嵌槽と係合して連結する挿合ブロックが設置される。プッシュ装置は第一滑運ブロックの右側端面にある第二滑運槽及び第二滑運槽にある第二滑運ブロックを含み、第二滑運ブロックの左側端面にはネジ紋が左側へ広げて設置される螺旋棒に接続している。螺旋棒の左側延伸末端と第一電気ローラーは動力を伝達可能なように連結し、第一電気ローラーの外表面が第二滑運槽の左側の内壁体にある。第二滑運ブロックの右側端面には送電ピンが設けられるし、自動的に安定ロック作業を実現することができる。同時に、ロックの安定性を向上させ、自動的に電力供給の接続作業を実現することができ、ユーザーの電安全性を大幅に向上させる。
【発明の効果】
【００１０】
本発明は構造が簡単で、操作が便利である。カードスロットの右側端面に凹嵌槽が設けられ、凹嵌槽の左側にあるカードスロットの内壁体の中に容腔が設けられ、凹嵌槽の上下両側にある内壁体の中に第一滑運槽が対応して設置され、第一滑運槽の中に枠レバーに接続されている。上下二つの前記枠レバーの相対する端面にはいずれも斜滑面が設置され、第一滑運槽は第一弾片を逸らして、第一滑運槽の左側内壁に導送槽が設けられ、導送槽の中に枠レバーと固定的に接続する導送ブロックが係合して連結する。容腔の上下両側の右側内壁に右側に広げる転向腔が設置され、転向腔は容腔の一側を逸らして、導送槽と貫通して設けられる。転向腔のうちに第一転盤と回転可能なように連結して、容腔の中に上下対応して設置される第二転盤が回転可能なように連結している。全ての第二転盤の前端側に歯合輪が固定的に設けられ、2組の歯合輪の間に第一滑動ブロックが設置される。第一滑運ブロックの中に左右に広げる導送レバーが上下対応して設けられ、導送レバーの左右両側延伸末端は容腔の左右両側の内壁とそれぞれ固定的に連結する。第一滑運ブロックの上下両側端面に歯合輪と係合して連結する歯合条が対応して設置され、2組の導送レバーの間にある容腔の左側内壁には第一滑運ブロックの左側端面と係合して連結するプッシュ装置が設置され、2組の導送レバーの間に第一滑運ブロックの右側端面にプッシュ装置が設置され、第一転盤は一端と第二転盤が固定的に連結して、もう一端が導送ブロックと固定的に連結するワイヤを回っている。容腔と凹嵌槽の間に送電装置が設けられ、LEDディスプレイの左側端面には凹嵌槽と係合して連結する挿合ブロックが設置される。プッシュ装置は第一滑運ブロックの右側端面にある第二滑運槽及び第二滑運槽にある第二滑運ブロックを含み、第二滑運ブロックの左側端面にはネジ紋が左側へ広げて設置される螺旋棒に接続している。螺旋棒の左側延伸末端と第一電気ローラーは動力を伝達可能なように連結し、第一電気ローラーの外表面が第二滑運槽の左側の内壁体にある。第二滑運ブロックの右側端面には送電ピンが設けられるし、自動的に安定ロック作業を実現することができる。同時に、ロックの安定性を向上させ、自動的に電力供給の接続作業を実現することができ、ユーザーの電安全性を大幅に向上させる。
【図面の簡単な説明】
【００１１】
【図１】図1は本発明におけるカードスロットの内部構造案内図である。
【図２】図2は本発明におけるLEDディスプレイの全体構造案内図である。
【図３】図3は本発明におけるカードスロットの右ビュー構造案内図である。
【発明を実施するための形態】
【００１２】
以下、図1-図3を参照して、本発明について詳しく説明する。
【００１３】
図1-図3を参照して、本発明の実施例における改良型LEDディスプレイ装置によれば、壁に固定して取り付けられるカードスロット5及びカードスロット5と係合して連結するLEDディスプレイ6を含む。前記カードスロット5の右端面には凹嵌槽51が設けられ、前記凹嵌槽51の左側にある前記カードスロット5の内壁体に容腔52が設置され、前記凹嵌槽51の上下両側の内壁体に第一滑運槽53が対応して設けられ、前記第一滑運槽53の中に枠レバー531が係合して連結する。上下二つの前記枠レバー531の相対する端面にはいずれも斜滑面533が設置され、前記第一滑運槽53は前記凹嵌槽51の一側にある前記枠レバー531と連結する第一弾片532を逸らして、前記第一滑運槽53の左側の内壁に導送槽54が設けられ、前記導送槽54の中に前記枠レバー531と固定的に連結する導送ブロック541が設置され、前記容腔52の上下両側の右側内壁体に右側に広げて設置される転向腔55が対応して設けられ、前記転向腔55は前記容腔52の一側を逸らして、前記導送槽54と貫通して連結する。前記転向腔55の中に上下対応して設置される第一転盤551が回転可能なように連結し、全ての前記容腔52の中に上下対応して設置される第二転盤521が回転可能なように連結する。全ての前記第二転盤521の前端側には歯合輪522が設けられ、2組の前記歯合輪522の間に第一滑運ブロック523が設置され、前記第一滑運ブロック523の中に左右に広げて設置される導送レバー524が上下対応して設けられる。前記導送レバー524の左右両側延伸末端は前記容腔52の左右両側の内壁と固定的に係合して連結する。前記第一滑運ブロック523の上下両側端面に前記歯合輪522と係合して連結する歯合条528が設置され、2組の前記導送レバー524の間にある前記容腔52の左側内壁の中に前記第一滑運ブロック523の左側端面と係合して連結するプッシュ装置526が設けられ、2組の前記導送レバー524の間の前記第一滑運ブロック523の右側端面に前記プッシュ装置526が設置される。前記第一転盤551はワイヤ552を迂回して、前記ワイヤ552の一端は前記第二転盤521と固定的に連結して、もう一端は前記導送ブロック541と固定的に連結する。前記容腔52と前記凹嵌槽51の間に送電装置が設けられ、LED ディスプレイ6の左側端面に前記凹嵌槽51と係合して連結する挿合ブロック61が設置され、推送装置は前記第一滑運ブロック523の右側端面にある第二滑運槽525及び前記第二滑運槽525の中の第二滑運ブロック5251を含み、前記第二滑運ブロック5251の左側端面に左側に広げて設置される螺旋棒5252があり、前記螺旋棒5252の左側延伸末端と第一電機ローラー5253は動力を伝達可能なように連結して、前記第一電機ローラー5253の外表面は前記第二滑運槽525の左側内壁に固定的に設けられ、前記第二滑運ブロック5251の右側末端端面に送電ピン5254が設置される。
【００１４】
好ましくは、前記送電装置は前記容腔52と前記凹嵌槽51が連通させる第三滑運槽57及び前記第三滑運槽57の中の送電アーム571を含む。前記第三滑運槽57の上下両側の内壁に導送腔56が対応して設けられ、前記導送腔56の中に前記送電アーム571と固定的に係合して連結する導送頭561があり、前記導送頭561の右側の前記導送腔56の中に第二弾片562が設置され、前記送電アーム571の左側端面に送電部品572が固定的に設けられて、それにより、自動供電接続作業をコントロールすることが実現させ、操作人員の安全性を大幅に向上させる。
【００１５】
好ましくは、前記挿合ブロック61の中に挿合ブロック61の上下両側端面を貫通する穿腔62が設けられ、前記挿合ブロック61の左側端面に送電口63が設置され、前記送電口63の中に送電ブロック631が設けられて、それによって、供電接続の安定性を実現し、供電の安定性を向上させる。
【００１６】
好ましくは、前記凹嵌槽51の上下両側にあるカードスロット5の右側端面に接固装置が対応して設置される。前記接固装置は前記カードスロット5の右側端面にある凹口58及び前記凹口58の中に連結する第三滑運ブロック582を含み、前記第三滑運ブロック582の左側の前記凹口58の中に第三弾片581が設けられ、前記第三弾片581の一端は前記凹口58の左側内壁と固定的に連結して、もう一端は前記第三滑運ブロック582の左側端面と固定的に連結する。それによって、LEDディスプレイ6の取り付ける安定性を向上させる。
【００１７】
初期状態の時、第一滑運ブロック523は容腔52の一番左側にあり、この時、歯合輪522と歯合条528の右側端を係合して連結させる。同時に、枠レバー531は第一弾片532の推送力を受けて、枠レバー531は導送ブロック541が最大レベルまでスライドすることを凹嵌槽51の一側に近づいく導送槽54の中に駆動させ、この時、枠レバー531が凹嵌槽51の一側に近づかせ、最大の程度に凹嵌槽51の中に伸入させて、しかも、2組の枠レバー531の相対末端は完全に相殺して連結する。この時、導送頭561は第二弾片562のの推送力を受けて、導送腔56の一番左側に滑動する。同時に、導送頭561は送電アーム571の左側末端を駆動して、最大の程度に容腔52の中に伸入させる。同時に、送電アーム571の右側末端を駆動して、最大の程度に第三滑運槽57の中に伸入させる。この時、第二滑運ブロック5251は完全に第二滑運槽525の中に位置させる。使用する時、プッシュ装置526を通して、第一滑運ブロック523をコントロールして、導送棒524の右側方向に沿って滑動する。同時に、第一滑運ブロック523は2組の歯合輪522が相対に回転することを駆動させ、歯合輪522は第二転盤521の回転を相対に駆動させる。この時、第二転盤521はワイヤ532を通して、導送ブロック541を牽引する。同時に、枠レバー531が第一弾片532推送力を克服して、導送ブロック541はそれを駆動して、だんだん第一滑運槽53に沿って、導送ブロック541が最大の程度に凹嵌槽51の一側を逸らす導送槽54の中にまで滑動する。この時、導送ブロック541は枠レバー531を駆動して、完全に第一滑運槽53の中に滑り込んで、そしてLEDディスプレイ6にある挿合ブロック61が凹嵌槽51の中に伸入させ、挿合ブロック61が完全に凹嵌槽51の中に伸入する時まで、この時、穿腔62と第一滑運槽53は相対する位置にする。同時に、LEDディスプレイ6の左側端面とカードスロット5の右側端面を完全に相殺させる。この時、第三滑運ブロック582は第三弾片581推送力を克服させて完全に凹口58の中に滑り込ませる。そして、逆方向でプッシュ装置526を駆動させ、第一滑運ブロック523が最初の位置まで滑動する。同時に、枠レバー531は第一弾片532推送力を受けて、最大の程度に穿腔62の中に伸入して、ロックの接続作業を完了させる。それから第一ローラー5253を通して、螺旋棒5252の回転をコントロールして、螺旋棒5252が第二滑運ブロック5251を駆動して、第二滑運槽525の右側方向に沿って滑動する。第二滑運ブロック5251の右側末端の送電ピン5234が送電部品571と相殺するとき、第一電気ローラー5253は螺旋棒5252の回転を駆動することをコントロールし続いて、第二滑運ブロック5251は送電アーム571を駆動させて、送電アーム571の上の導送頭561は第二弾片562の推送力がだんだん右側に滑動させて、送電アーム571の左側端は完全に第三滑運槽57の中に滑り込む時まで、同時に、送電アーム571の右側末端は送電口63の中に完全に伸入させ、送電ブロック631と係合して連結させる。
【００１８】
本発明は構造が簡単で、操作が便利である。カードスロットの右側端面に凹嵌槽が設けられ、凹嵌槽の左側にあるカードスロットの内壁体の中に容腔が設けられ、凹嵌槽の上下両側にある内壁体の中に第一滑運槽が対応して設置され、第一滑運槽の中に枠レバーに接続されている。
上下二つの前記枠レバーの相対する端面にはいずれも斜滑面が設置され、第一滑運槽は第一弾片を逸らして、第一滑運槽の左側内壁に導送槽が設けられ、導送槽の中に枠レバーと固定的に接続する導送ブロックが係合して連結する。容腔の上下両側の右側内壁に右側に広げる転向腔が設置され、転向腔は容腔の一側を逸らして、導送槽と貫通して設けられる。転向腔のうちに第一転盤と回転可能なように連結して、容腔の中に上下対応して設置される第二転盤が回転可能なように連結している。全ての第二転盤の前端側に歯合輪が固定的に設けられ、2組の歯合輪の間に第一滑動ブロックが設置される。第一滑運ブロックの中に左右に広げる導送レバーが上下対応して設けられ、導送レバーの左右両側延伸末端は容腔の左右両側の内壁とそれぞれ固定的に連結する。第一滑運ブロックの上下両側端面に歯合輪と係合して連結する歯合条が対応して設置され、2組の導送レバーの間にある容腔の左側内壁には第一滑運ブロックの左側端面と係合して連結するプッシュ装置が設置され、2組の導送レバーの間に第一滑運ブロックの右側端面にプッシュ装置が設置され、第一転盤は一端と第二転盤が固定的に連結して、もう一端が導送ブロックと固定的に連結するワイヤを回っている。容腔と凹嵌槽の間に送電装置が設けられ、LEDディスプレイの左側端面には凹嵌槽と係合して連結する挿合ブロックが設置される。プッシュ装置は第一滑運ブロックの右側端面にある第二滑運槽及び第二滑運槽にある第二滑運ブロックを含み、第二滑運ブロックの左側端面にはネジ紋が左側へ広げて設置される螺旋棒に接続している。螺旋棒の左側延伸末端と第一電気ローラーは動力を伝達可能なように連結し、第一電気ローラーの外表面が第二滑運槽の左側の内壁体にある。第二滑運ブロックの右側端面には送電ピンが設けられるし、自動的に安定ロック作業を実現することができる。同時に、ロックの安定性を向上させ、自動的に電力供給の接続作業を実現することができ、ユーザーの電安全性を大幅に向上させる。
【００１９】
本分野の技術者にとって、明確なのは本発明の全体的な意義と構造を離れないもとで、以上の実施例に各種の変形を行うことができる。それらは全部本発明の保護範囲内にある。本発明の保護範囲は特許請求の範囲を基準とする。